(57)【要約】      （修正有）【課題】患者の吸気と呼気の間のガス濃度差を正確に測定するためのシステムと方法を提供する。【解決手段】第一採取部１０は、第一混合ガスからなる吸気ガスを採取する。第二採取部１２は、第二混合ガスからなる呼気ガスを採取する。ガス分析器２３は、ガス濃度を測定する。切替弁２１は、第一混合ガスと第二混合ガス内のガス成分の濃度が交互に測定されるように、採取された吸気ガスと呼気ガスの分析器２３への流れを制御する。湿度制御システム２２は、第一混合ガスと第二混合ガスの湿度を所定の湿度値に維持する。算出部は、第一混合ガスと第二混合ガスの間でのガス成分の濃度差を算出する。【選択図】図２
2020096801.tif 000002
【特許請求の範囲】
【請求項１】
第一混合ガスからなる吸気ガスを採取するように構成された第一採取部と、
第二混合ガスからなる呼気ガスを採取するように構成された第二採取部と、
ガス濃度を測定するように構成されたガス分析器と、
前記第一混合ガスと前記第二混合ガス内のガス成分の濃度が交互に測定されるように、採取された前記吸気ガスと前記呼気ガスの前記分析器への流れを制御する切替弁と、
前記第一混合ガスと前記第二混合ガスの湿度を所定の湿度値に維持する湿度制御システムと、
前記第一混合ガスと前記第二混合ガスの間でのガス成分の濃度差を算出するように構成された演算部と、
を備えている、
システム。
【請求項２】
前記第一ガス採取部は、人工呼吸器の吸気ガス回路に接続され、
前記第二ガス採取部は、前記人工呼吸器の排気ポートあるいは呼気ガス回路に接続される、
請求項１に記載のシステム。
【請求項３】
前記第一ガス採取部は、呼吸マスクの第一逆止弁を備える吸気ガス回路に接続され、
前記第二ガス採取部は、前記呼吸マスクの第二逆止弁を備える呼気ガス回路に接続される、
請求項１に記載のシステム。
【請求項４】
前記湿度制御システムは、膜乾燥ユニット、冷却乾燥ユニット、および乾燥剤の少なくとも一つを備えている、
請求項１に記載のシステム。
【請求項５】
前記湿度制御システムは、膜乾燥ユニットであり、
前記膜乾燥ユニットに使用されるパージガスは、ガス供給システムからの乾燥ガス、ガスタンクからの乾燥ガス、および乾燥剤によって乾燥された乾燥ガスの少なくとも一つである、
請求項４に記載のシステム。
【請求項６】
前記湿度制御システムは、冷却乾燥ユニットであり、
前記冷却乾燥ユニットは、前記第一混合ガスと前記第二混合ガスの温度を零下２０℃以下に低下させる、
請求項４に記載のシステム。
【請求項７】
前記ガス分析器は、少なくとも酸素濃度と二酸化炭素濃度を測定し、
前記演算部は、酸素濃度差と二酸化炭素濃度差を算出する、
請求項１に記載のシステム。
【請求項８】
前記演算部は、算出された前記濃度差に基づいて呼吸商（ＲＱ）も算出するように構成されている、
請求項７に記載のシステム。
【請求項９】
前記吸気ガスと前記呼気ガスの少なくとも一方の流量を測定するフローセンサをさらに備えており、
前記算出部は、測定された前記濃度差と前記流量に基づいて、酸素消費量（ＶＯ2）と二酸化炭素産生量（ＶＣＯ2）も算出するように構成されている、
請求項７に記載のシステム。
【請求項１０】
前記フローセンサは、熱センサ、湿度センサ、および圧力センサを備えている、
請求項９に記載のシステム。
【請求項１１】
前記第一ガス採取部は、第一ガス混合室を備えており、
前記第二ガス採取部は、第二ガス混合室を備えている、
請求項１に記載のシステム。
【請求項１２】
第一混合ガスからなる吸気ガスを採取し、
第二混合ガスからなる呼気ガスを採取し、
前記第一混合ガスと前記第二混合ガス内のガス成分の濃度が交互に測定されるように、採取された前記吸気ガスと前記呼気ガスの分析器への流れを制御し、
前記ガス成分の測定に先立って前記第一混合ガスと前記第二混合ガスの湿度を所定の湿度値に維持し、
前記第一混合ガスと前記第二混合ガスの間でのガス成分の濃度差を算出する、
方法。
【請求項１３】
前記第一ガス採取部を人工呼吸器の吸気ガス回路に接続し、
前記第二ガス採取部を前記人工呼吸器の排気ポートまたは呼気ガス回路に接続する、
請求項１２に記載の方法。
【請求項１４】
呼吸マスクの第一逆止弁を備える吸気ガス回路に前記第一ガス採取部を接続し、
前記呼吸マスクの第二逆止弁を備える呼気ガス回路に前記第二ガス採取部を接続する、
請求項１２に記載の方法。
【請求項１５】
前記湿度は、膜乾燥ユニット、冷却乾燥ユニット、および乾燥剤の少なくとも一つを備えた湿度制御システムによって維持される、
請求項１２に記載の方法。
【請求項１６】
前記湿度制御システムは、膜乾燥ユニットであり、
前記膜乾燥ユニットに使用されるパージガスは、ガス供給システムからの乾燥ガス、ガスタンクからの乾燥ガス、および乾燥剤によって乾燥された乾燥ガスの少なくとも一つである、
請求項１５に記載の方法。
【請求項１７】
前記湿度制御システムは、冷却乾燥ユニットであり、
前記冷却乾燥ユニットは、前記第一混合ガスと前記第二混合ガスの温度を零下２０℃以下に低下させる、
請求項１２に記載の方法。
【請求項１８】
前記ガス分析器は、少なくとも酸素濃度と二酸化炭素濃度を測定するものであり、
前記ガス濃度差として酸素濃度差と二酸化炭素濃度差の算出を行なう、
請求項１２に記載の方法。
【請求項１９】
算出された前記濃度差に基づいて呼吸商（ＲＱ）の算出も行なう、
請求項１８に記載の方法。
【請求項２０】
前記吸気ガスと前記呼気ガスの少なくとも一方の流量を測定し、
測定された前記濃度差と前記流量に基づいて、酸素消費量（ＶＯ2）と二酸化炭素産生量（ＶＣＯ2）の算出も行なう、
請求項１８に記載の方法。
【発明の詳細な説明】
【技術分野】
【０００１】
本願は、２０１８年１０月１７日に提出された米国特許仮出願６２／７４６，６４１号の優先権に係る利益を主張し、その全ての内容を本願の一部を構成するものとして援用する。
【０００２】
本発明は、ガス濃度の測定に関連しており、特に異なった混合ガスの間での複数のガス成分の濃度を測定および比較するシステムおよび方法に関連している。
【背景技術】
【０００３】
臨床医は、混合ガスにおける特定種のガスの濃度を測定し、混合ガス間でその濃度がどのように変化するかを判断するためにその情報を使用することがある。このようなガス濃度の測定結果の比較は、患者の診断や臨床研究において有用でありうる。しかしながら、生体試料における正確なガス濃度の測定は、非常に困難である。気体の条件（温度、圧力、湿度、密度など）は、測定誤差の原因になりうる。異なる二つのガス流間における濃度差を測定しようとすると、当該誤差は複合的になる。二つのガス間で条件が相違するからである。
【０００４】
湿度は、濃度測定の正確性に影響を与える主要因である。湿度は、ガス濃度を変えるのみならず、ガス密度、熱伝導性、および熱容量にも影響を与えるからである。ひいては、センサ精度に影響を及ぼす。例えば、呼気の間、身体が吐出するガスの水蒸気分圧は、常圧および摂氏３７度において４６ｍｍＨｇである。ガス温度が常温（摂氏２０度）まで冷却されると、凝結が生じ、水蒸気分圧は１８ｍｍＨｇとなる。大半のガス分析器は、凝結で生じた水滴を貯水槽によって捕集し、相対湿度が３０〜１００％の範囲内で制御される条件下においてガス濃度を測定する。
【０００５】
人工呼吸器は、ガス供給システムに接続されることが一般的である。よって、吸気ガスは湿度を有しない（相対湿度０％）ことが普通である。吸気（０％）と呼気（３０〜１００％）の間で生じるこの湿度差は、人工呼吸に供される患者の吸気と呼気の間のガス濃度差を正確に測定する上で大きな障害となる。
【０００６】
呼気中のガス成分濃度と吸気中のガス成分濃度の比較に係る正確な測定は、様々な形で有益である。例えば、当該測定は、患者に供給されるガス状物質の投与量を決定する上で有用である。ガス状物質の例としては、手術中に使用される麻酔薬や、新治療の研究に用いられる吸入ガス（一酸化窒素、水素、硫化水素など）が挙げられる。また、吸気と呼気の間の酸素濃度差が正確に測定できれば、身体の酸素消費量の推定が可能である。酸素消費量は、栄養サポート、スポーツ医学、心肺機能研究などの様々な分野で使用される。酸素消費量は、身体の総代謝変化を表すからである。しかしながら、従来の測定装置の大半は、酸素消費量を適切にリアルタイム測定することができない。それは主に吸気と呼気の間の濃度差を正確に測定できないことによる。
【発明の概要】
【発明が解決しようとする課題】
【０００７】
本発明の目的は、患者の吸気と呼気の間のガス濃度差を正確に測定するためのシステムと方法を提供することにある。
【課題を解決するための手段】
【０００８】
本発明の一実施形態に係るシステムは、
第一混合ガスからなる吸気ガスを採取するように構成された第一採取部と、
第二混合ガスからなる呼気ガスを採取するように構成された第二採取部と、
ガス濃度を測定するように構成されたガス分析器と、
前記第一混合ガスと前記第二混合ガス内のガス成分の濃度が交互に測定されるように、採取された前記吸気ガスと前記呼気ガスの前記分析器への流れを制御する切替弁と、
前記第一混合ガスと前記第二混合ガスの湿度を所定の湿度値に維持する湿度制御システムと、
前記第一混合ガスと前記第二混合ガスの間でのガス成分の濃度差を算出するように構成された演算部と、
を備えている。
【０００９】
一実施形態においては、前記第一ガス採取部は、人工呼吸器の吸気ガス回路に接続され、前記第二ガス採取部は、前記人工呼吸器の排気ポートあるいは呼気ガス回路に接続される。
【００１０】
一実施形態においては、前記第一ガス採取部は、呼吸マスクの第一逆止弁を備える吸気ガス回路に接続され、前記第二ガス採取部は、前記呼吸マスクの第二逆止弁を備える呼気ガス回路に接続される。
【００１１】
一実施形態においては、前記湿度制御システムは、膜乾燥ユニット、冷却乾燥ユニット、および乾燥剤の少なくとも一つを備えている。
【００１２】
一実施形態においては、前記湿度制御システムは、膜乾燥ユニットであり、前記膜乾燥ユニットに使用されるパージガスは、ガス供給システムからの乾燥ガス、ガスタンクからの乾燥ガス、および乾燥剤によって乾燥された乾燥ガスの少なくとも一つである。
【００１３】
一実施形態においては、前記湿度制御システムは、冷却乾燥ユニットであり、前記冷却乾燥ユニットは、前記第一混合ガスと前記第二混合ガスの温度を零下２０℃以下に低下させる。
【００１４】
一実施形態においては、前記ガス分析器は、少なくとも酸素濃度と二酸化炭素濃度を測定し、前記演算部は、酸素濃度差と二酸化炭素濃度差を算出する。
【００１５】
一実施形態においては、前記演算部は、算出された前記濃度差に基づいて呼吸商（ＲＱ）も算出するように構成されている。
【００１６】
一実施形態においては、前記吸気ガスと前記呼気ガスの少なくとも一方の流量を測定するフローセンサをさらに備えており、前記算出部は、測定された前記濃度差と前記流量に基づいて、酸素消費量（ＶＯ2）と二酸化炭素産生量（ＶＣＯ2）も算出するように構成されている。
【００１７】
一実施形態においては、前記フローセンサは、熱センサ、湿度センサ、および圧力センサを備えている。
【００１８】
一実施形態においては、前記第一ガス採取部は、第一ガス混合室を備えており、前記第二ガス採取部は、第二ガス混合室を備えている。
【００１９】
本発明の一実施形態に係る方法においては、
第一混合ガスからなる吸気ガスを採取し、
第二混合ガスからなる呼気ガスを採取し、
前記第一混合ガスと前記第二混合ガス内のガス成分の濃度が交互に測定されるように、採取された前記吸気ガスと前記呼気ガスの分析器への流れを制御し、
前記ガス成分の測定に先立って前記第一混合ガスと前記第二混合ガスの湿度を所定の湿度値に維持し、
前記第一混合ガスと前記第二混合ガスの間でのガス成分の濃度差を算出する。
【００２０】
一実施形態に係る方法においては、前記第一ガス採取部を人工呼吸器の吸気ガス回路に接続し、前記第二ガス採取部を前記人工呼吸器の排気ポートまたは呼気ガス回路に接続する。
【００２１】
一実施形態に係る方法においては、呼吸マスクの第一逆止弁を備える吸気ガス回路に前記第一ガス採取部を接続し、前記呼吸マスクの第二逆止弁を備える呼気ガス回路に前記第二ガス採取部を接続する。
【００２２】
一実施形態においては、前記湿度は、膜乾燥ユニット、冷却乾燥ユニット、および乾燥剤の少なくとも一つを備えた湿度制御システムによって維持される。
【００２３】
一実施形態においては、前記湿度制御システムは、膜乾燥ユニットであり、前記膜乾燥ユニットに使用されるパージガスは、ガス供給システムからの乾燥ガス、ガスタンクからの乾燥ガス、および乾燥剤によって乾燥された乾燥ガスの少なくとも一つである。
【００２４】
一実施形態においては、前記湿度制御システムは、冷却乾燥ユニットであり、前記冷却乾燥ユニットは、前記第一混合ガスと前記第二混合ガスの温度を零下２０℃以下に低下させる。
【００２５】
一実施形態においては、前記ガス分析器は、少なくとも酸素濃度と二酸化炭素濃度を測定するものであり、前記ガス濃度差として酸素濃度差と二酸化炭素濃度差の算出を行う。
【００２６】
一実施形態に係る方法においては、算出された前記濃度差に基づいて呼吸商（ＲＱ）の算出も行なう。
【００２７】
一実施形態に係る方法においては、前記吸気ガスと前記呼気ガスの少なくとも一方の流量を測定し、測定された前記濃度差と前記流量に基づいて、酸素消費量（ＶＯ2）と二酸化炭素産生量（ＶＣＯ2）の算出も行なう。
【００２８】
本発明に係る上記のものを含む特徴は、本発明の趣旨を例示する以降の詳細な説明と添付の図面においてより詳細に示される。
【図面の簡単な説明】
【００２９】
本発明に係る実施形態例の特徴と利点は、以降の詳細な説明を以下に列挙する添付の図面とともに参照することによって、よりよく理解されうる。
【００３０】
【図１】混合ガス間の濃度差を測定する従来のシステムを示すブロック図である。
【図２】本発明の一実施形態に係る生体機能測定システムを示すブロック図である。
【図３】本発明の一実施形態に係る膜乾燥ユニットを示すブロック図である。
【図４】本発明の一実施形態に係る冷却乾燥ユニットを示すブロック図である。
【図５】本発明の別実施形態に係る生体機能測定システムを示すブロック図である。
【図６】本発明の別実施形態に係る生体機能測定システムを示すブロック図である。
【発明を実施するための形態】
【００３１】
本発明の一実施形態に係るガス濃度測定システムは、異なる供給源または供給流からのガスが交互にガス成分濃度測定センサを通過する前に、当該ガスの湿度が所定値をとるようリアルタイムに制御する（１ｍｍＨｇ水圧、２ｍｍＨｇ水圧、３ｍｍＨｇ水圧、２０ｍｍＨｇ水圧など）。複数のセンサを用いる場合に生じうる誤差伝搬は、単一のセンサにより取得されたガス濃度値間の差異を算出することによって低減される。これにより、現在入手可能な他のあらゆるガス濃度測定システムよりも正確なガス濃度測定が可能とされる。
【００３２】
図１は、二つの異なる混合ガス間における、特定のガス濃度の差異（吸気エアと呼気エア間における酸素濃度差など）を測定・算出するシステム１００を示すブロック図である。システム１００は、二つの異なるガス（ガス１、ガス２）の流れにおける特定のガスの濃度を測定するので、二つのセンサセットを備えている。具体的には、システム１００は、第一センサセット１１０と第二センサセット１２０を備えている。第一センサセット１１０は、ガス１に係るデータを取得するために使用される。第二センサセット１２０は、ガス２に係るデータを取得するために使用される。第一センサセット１１０は、第一温度計１１２、第一湿度計１１４、および第一ガス分析器１１６を含んでいる。第二センサセット１２０は、第二温度計１２２、第二湿度計１２４、および第二ガス分析器１２６を含んでいる。システム１００は、各センサセットにおける複数のセンサの各々が個別に使用されることによって誤差伝搬を生じ、正確性を低下させている。
【００３３】
上記の二重センサシステムに係る誤差を低減するために、本発明の実施形態例に係るガス濃度差を測定するシステムは、唯一のガス分析器を用いる。これにより、異なる混合ガス内のガス濃度が同じ湿度条件下で測定されうる。
【００３４】
図２は、本発明の一実施形態例に係る、二つの異なる混合ガス間における特定のガス濃度の差異を測定・算出するシステム１を示すブロック図である。本発明において、システム１は、人工呼吸器５０による人工呼吸に供されている患者に用いられる。人工呼吸器５０は、吸気ポート５１、呼気ポート５２、排気ポート５３、吸気ガス回路５４、および呼気ガス回路５５を備えている。システム１は、第一ガス採取部１０と第二ガス採取部１２を備えている。第一ガス採取部１０は、人工呼吸器５０の吸気ガス回路５４に接続されている。第二ガス採取部１２は、人工呼吸器５０の呼気ガス回路５５または排気ポートに接続されている。第一ガス採取部１０は、人工呼吸中の患者の吸気ガスを採取するように構成されうる。第二ガス採取部１２は、当該患者の呼気ガスを採取するように構成されうる。システム１は、ガス濃度測定モジュール２０をさらに備えている。ガス濃度測定モジュール２０は、切替弁２１、湿度制御システム２２、ガス分析器２３、演算部２４、ポンプ２５、および表示部２６を備えている。切替弁２１は、吸気ガスと呼気ガスを交互にガス濃度測定モジュール２０へ導く。切替弁２１は、ソレノイド弁、気圧弁、または機械弁（手動または電動）により実現されうる。
【００３５】
湿度制御システム２２は、ガス濃度測定モジュール２０を通過するガス流の湿度を特定の値または所定の範囲内に維持するために、当該湿度の上昇と下降の少なくとも一方をフィードバック測定に基づいて実現する要素を含みうる。例えば、湿度制御システム２２は、膜乾燥ユニット、冷却乾燥ユニット、または乾燥剤を備えうる。
【００３６】
図３は、本発明の一実施形態例に係る膜乾燥ユニット３００を示すブロック図である。周知のように、膜乾燥ユニット３００は、膜乾燥器３０２、乾燥ガス通路３０４、および採取ガス通路３０６を備えている。本発明の実施形態例における使用に適当な膜乾燥器としては、サンセップ（登録商標）膜式ガスドライヤ（日本所在のＡＧＣエンジニアリング社製）、およびナフィオン（登録商標）管を用いたガス試料乾燥器（米国、ニュージャージー州、レイクウッド所在のパーマピュア社製）が挙げられる。実施形態においては、乾燥ガス（あるいはパージガス）は、ガス供給システム、ガスタンク、および乾燥材（ガスは乾燥済みとされる）の少なくとも一つから供給されうる。
【００３７】
図４は、本発明の一実施形態例に係る冷却乾燥ユニット４００を示すブロック図である。周知のように、冷却乾燥ユニット４００は、冷流体循環システム４０２、採取ガス通路４０４、およびリザーバ４０６を備えている。本発明の実施形態例における使用に適当な冷却乾燥ユニットとしては、Ｆ２５−ＭＥ加熱／冷却サーキュレータ（米国、ペンシルベニア州、アレンタウン所在のジュラボＵＳＡ社製）、およびＭＸ０７Ｒ−２０冷却／加熱槽（米国、イリノイ州、ナイルズ所在のポリサイエンス社製）が挙げられる。実施形態においては、冷却乾燥ユニット４００は、採取ガスの温度を２０℃以下に降下させうる。５℃に冷却されたガスは、常圧における水性ガスの分圧容量を６．９ｍｍＨｇ（相対湿度１５〜４０％）に保持する。比較例として、−２０℃のガスは、水の分圧を１．１ｍｍＨｇ（相対湿度２〜６％）に保持する。酸素センサは、湿度に敏感である。湿度変化は、熱伝導率と熱容量を変化させ、ひいてはセンサの正確性に影響を及ぼす。よって、センサを通過するガスの湿度は、低域に保持されることが好ましい。
【００３８】
前述のように、乾燥剤もまた、ガス濃度測定モジュール２０に流入する試料ガスを乾燥させるために使用されうる。乾燥剤の例としては、モンモリロナイト粘土、シリカゲル、分子篩炭酸カルシウム、分子篩硫酸カルシウムが挙げられる。
【００３９】
ガス分析器２３は、吸気ガスと呼気ガスにおける少なくとも酸素濃度と二酸化炭素濃度を測定するように構成されている。ガス分析器２３は、例えば、赤外線ガス分析器でありうる。より具体的には、酸素を検出する場合は、常磁性センサ、電子ガルバニセンサ、ジルコニアセンサ、蛍光消光に基づくファイバ光学センサ、またはレーザ吸収分光が使用されうる。二酸化炭素を検出する場合は、化学センサ、非分散型赤外分光（ＮＤＩＲ）、またはフーリエ変換赤外分光（ＦＴＩＲ）が使用されうる。
【００４０】
演算部２４は、メモリユニットとプロセッサを備えるコンピュータハードウェア要素でありうる。メモリは、プロセッサが読み取り可能なコードを記憶している。当該コードがプロセッサにより読み取られると、下記のパラメータの少なくとも一つを算出する動作が遂行される。
酸素濃度差（吸気と呼気の間）
二酸化炭素濃度差（呼気と吸気の間）
呼吸商（ＲＱ）
酸素消費量（ＶＯ2）
二酸化炭素産生量（ＶＣＯ2）
呼吸商（ＲＱ）は、測定された酸素濃度差と二酸化炭素濃度差に基づいて算出されうる。酸素消費量（ＶＯ2）と二酸化炭素産生量（ＶＣＯ2）は、濃度差、および吸気ガスと呼気ガスの少なくとも一方の流量に基づいて算出されうる。酸素消費量（ＶＯ2）と二酸化炭素産生量（ＶＣＯ2）を算出するために、図５に示される別実施形態例に係るシステム５００は、ガスの流量を測定するフローセンサ５６０をさらに備えうる。フローセンサ５６０は、ガスの温度を測定する熱センサ、ガスの湿度を測定する湿度センサ、およびガスの圧力を測定する圧力センサを備えている。前述の実施形態と同様に、システム５００は、人工呼吸器５５０を備えている。人工呼吸器５５０は、吸気ポート５５１、呼気ポート５５２、排気ポート５５３、吸気ガス回路５５４、および呼気ガス回路５５５を備えている。システム５００は、第一ガス採取部５１０と第二ガス採取部５１２を備えている。第一ガス採取部５１０は、人工呼吸器５５０の吸気ガス回路５５４に接続されている。第二ガス採取部５１２は、人工呼吸器５５０の呼気ガス回路５５５と排気ポート５５３のいずれかに接続されている。第一ガス採取部５１０は、人工呼吸中の患者の吸気ガスを採取するように構成されうる。第二ガス採取部５１２は、当該患者の呼気ガスを採取するように構成されうる。システム５００は、ガス濃度測定モジュール５２０をさらに備えている。ガス濃度測定モジュール５２０は、切替弁５２１、湿度制御システム５２２、ガス分析器５２３、演算部５２４、ポンプ５２５、および表示部５２６を備えている。切替弁５２１は、吸気ガスと呼気ガスを交互にガス濃度測定モジュール５２０へ導く。切替弁５２１は、ソレノイド弁、気圧弁、または機械弁（手動または電動）により実現されうる。
【００４１】
図２に示されるように、システム１は（図示を省略するがシステム５００も）、第一ガス採取部１０内に吸気ガスを収集するための混合室と、第二ガス採取部１２内に呼気ガスを収集するための混合室とを備えうる。
【００４２】
図６は、本発明の一実施形態例に係る、二つの異なる混合ガス間での特定のガス濃度の差異を測定・算出するシステム６００を示すブロック図である。システム６００は、自発的に呼吸している患者（すなわち、人工呼吸器の支援なしに呼吸している患者）と協働するように構成されている点を除き、システム１と同様の要素を備えている。患者には、人工呼吸器ではなく呼吸マスク６５６が装着されうる。呼吸マスク６５６は、吸気ガス回路６５４と呼気ガス回路６５５を備えている。第一ガス採取部６１０は、第一逆止弁６５７を備える吸気ガス回路６５４に接続されうる。第二ガス採取部６１２は、第二逆止弁６５８を備える呼気ガス回路６５５に接続されうる。これにより、吸気ガスと呼気ガスが相互に分離された状態が維持される。システム６００は、ガス測定モジュール６２０をさらに備えている。ガス測定モジュール６２０は、切替弁６２１、湿度制御システム６２２、ガス分析器６２３、演算部６２４、ポンプ６２５、および表示部６２６を備えている。切替弁６２１は、吸気ガスと呼気ガスを交互にガス濃度測定モジュール６２０へ導く。先の実施形態を参照して説明したように、ガス濃度測定モジュール６２０は、ガス濃度差、ＲＱ、ＶＯ2、ＶＣＯ2、および患者に供給されるガス状物質（麻酔ガス、一酸化窒素、水素、硫化水素など）の投与量を算出するように構成されうる。
【００４３】
本発明の有利性を例示するために、実施例と比較例を以下に示す。
【００４４】
比較例
人工呼吸器（AVEA ventilation system；米国、カリフォルニア州、ヨーバリンダ所在のケアフュージョン社製）により動作される試験肺（QuickLung Breather；米国、ピッツバーグ所在のイングマルメディカル社製）の吸気と呼気における酸素と二酸化炭素の濃度差を測定するために、ダグラスバッグ法を用いた。容量５０Ｌのポリ塩化ビニル（ＰＶＣ）製バッグ（Douglas Bag；米国、マサチューセッツ州、ホリストン所在のハーバードアパレイタス社製）と、容量３．８Ｌのポリフッ化ビニルデン（ＰＶＤＦ）製バッグ（Dual-Valve Kynar PVDF Bag；米国、イリノイ州、ヴァーモンヒルズ所在のコールパーマーカイナー社製）を用意した。呼気ガスと吸気ガスを、それぞれ容量５０ＬのＰＶＣ製バッグと容量３．８ＬのＰＶＤＦ製バッグへ連続的に捕集した。容量５０ＬのＰＶＣ製バッグを人工呼吸器の排気ポートに接続することにより、全ての呼気ガスをバッグ内に捕集した。吸気ガスの一部（流量の１０〜１５％）を、人工呼吸回路に付加されたアダプタポートから容量３．８ＬのＰＶＤＦ製バッグへ捕集した。呼気ガスと吸気ガスは同時に捕集され、総ガス捕集時間は試験ごとに７〜８分とした。ガス捕集の完了後、封止された二つのバッグを、冷凍庫（FUM 21SVCRWW；米国、ケンタッキー州、ルイスヴィレ所在のジェネラルエレクトリック社製）内で冷凍した。バッグ表面と試料ガスの温度をモニタし、当該温度が零下２０℃に達した後にガス濃度測定を開始した。二つの採取チューブを用意し、各バッグについて冷凍庫内に配置した。冷凍庫外に設置されたガス分析器で、当該チューブを通じて外部から呼気ガスと吸気ガスをそれぞれ取得した。三方向ストッパを二つの採取チューブとガス分析器に接続し、ガス分析器が常に二つの試料ガスの一方を取得できるようにした。具体的には、三方向ストッパのガス流れ方向を変更することにより、ガス分析器へ入力される試料ガスを切り替えた。ガス濃度の測定に使用したガス分析器は、日本の東京都に所在の日本光電工業社製ＧＦ−２１０Ｒモデルであった。
【００４５】
実施例
比較例と同じ試験肺、人工呼吸器、およびガス分析器を、吸気と呼気における二酸化炭素と酸素の濃度の測定に用いたが、ダグラスバッグ法を用いる代わりに、二つのチャンバ（吸気ガスと呼気ガスについて一つずつ）、各チャンバ内の湿度値を等しくする湿度制御システム、単一のガス分析器、および各チャンバからガス分析器へのガス流を制御する切替弁を備えたシステムを用いた。これは、湿度制御を伴うリアルタイム測定という概念の実証試験である。二つの独立した容量２５０ｍＬのガラス容器を用意した。これらのガラス容器を、ドライアイスコンテナ内で凍結させた。呼気ガスと吸気ガスを人工呼吸回路に付加された採取ポートを通じて人工呼吸回路から直接採取した。呼気（排気）ガスは一方のガラス容器を通過させ、吸気ガスは他方のガラス容器を通過させた。ガス分析器をガス流の下流側に接続することにより、凍結容器によって湿度が制御された後のガスをガス分析器で採取した。ガス採取量は、ガス分析器により毎分２００ｍＬに制御した。ガス流の方向を三方向ストッパで切り替えることにより、ガス分析器がいずれかのガス試料を採取できるようにした。人工呼吸回路に水槽を付加することによって、吸気ガスを加湿した。上記の試験設定に基づいて吸気ポートにおいて測定された湿度値は０％未満（検出限界以下）であり、呼気ポートにおいて測定された湿度値は４０〜７０％であった。凍結容器を通過した後の両ガス試料の湿度は、０％未満と同レベルであった。
【００４６】
下記の表１は、比較例と実施例についての比較試験結果を示している。試験は三度行なった。ＦＩＯ2は、吸気ガスにおける酸素濃度（％）を表している。ＦＥＯ2は、呼気ガスにおける酸素濃度（％）を表している。ＦＥＣＯ2は、呼気ガスにおける二酸化炭素濃度（％）を表している。ＲＱは、ＦＥＣＯ2／（ＦＩＯ2−ＦＥＯ2）で算出された値を表している。
【００４７】
【表１】
2020096801.tif 000003
【００４８】
表１に示すように、実施例の結果はダグラスバッグ法を用いて得られた比較例の結果に近い。したがって、実施例の結果は正確であると言える。これより、人工呼吸回路から直接に収集されたガス試料の濃度のリアルタイム測定値が、定常状態における測定値（従来のダグラスバッグ法で測定されたガス濃度値）と同等であることが判る。
【００４９】
これまで詳細に説明してきた本発明の実施形態に様々な改変が可能であることは、当業者にとって明らかである。本発明の趣旨は広く解釈されるべきものであって、上記の説明に限定されるものではない。  
【図１】
2020096801.tif 000004
【図２】
2020096801.tif 000005
【図３】
2020096801.tif 000006
【図４】
2020096801.tif 000007
【図５】
2020096801.tif 000008
【図６】
2020096801.tif 000009
【外国語明細書】
2020096801000001.pdf